(57)【要約】      （修正有）【課題】火災時に自動的にロックされるロック具の提供。【解決手段】防火扉の上框と下框４ｄの少なくとも一方の戸先側端部に組込み可能なケース１１の端部のプレート１４にボルト挿入孔２１を形成し、ボルト挿入孔に向けて移動可能なデッドボルト１７とデッドボルトをボルト挿入孔に向けて付勢する弾性部材２０を組込む。シャッタ２２に挿通孔２３を形成し挿通孔がボルト挿入孔に対して位置ずれする第１の停止位置とボルト挿入孔に一致する第２の停止位置との間で移動自在とし、シャッタを第１のスプリング２７によって第１の停止位置に向けて付勢し、付勢方向の前側に形状記憶合金からなる第２のスプリング２８を設ける。火災により周囲温度が形状記憶合金の変態点まで昇温すると第２のスプリングが伸張しシャッタを第２の停止位置まで移動させ、デッドボルトの端部がボルト挿入孔から外部に突出し出入口枠に設けられた係合孔８と係合して防火扉をロックする。【選択図】図４
2010007309.tif 000002
【特許請求の範囲】
【請求項１】
防火扉の上框と下框の少なくとも一方の戸先側端部に形成される嵌合孔内に対して挿入可能とされ、その挿入方向の後端側にプレートを有し、そのプレートにボルト挿入孔が形成された角筒状のケースと、そのケース内において前記ボルト挿入孔に向けて移動自在に組込まれた棒状のデッドボルトと、そのデッドボルトをボルト挿入孔に向けて付勢する弾性部材と、前記デッドボルトの端部が挿通可能な挿通孔が形成され、その挿通孔が前記ボルト挿入孔に対して位置ずれする第１の停止位置とボルト挿入孔に一致する第２の停止位置との間で移動可能となるよう前記プレートの内面に重なる組込みとされた板状のシャッタと、そのシャッタを前記第１の停止位置に向けて付勢する第１のスプリングと、形状記憶合金からなり、周囲温度が高温になって変態点に達すると伸張して、前記シャッタを第１のスプリングの弾性に抗して第２の停止位置まで付勢する第２のスプリングとからなる防火扉のロック具。
【請求項２】
防火扉の室外側パネルおよび室内側パネルのそれぞれに形成されるボタン挿入孔にスライド自在に挿入されて前記デッドボルトの前面および後面に対して進退可能な一対の開錠ボタンを設け、その開錠ボタンの押し込みによる直線運動をデッドボルトがボルト挿入孔から抜け出る方向に直線移動させるカム機構を設けた請求項１に記載の防火扉のロック具。
【請求項３】
前記カム機構が、開錠ボタンと一体化されて前記デッドボルトの側面に対向配置された側板に傾斜状の長孔を形成し、前記デッドボルトの側面にピンを突設し、そのピンを長孔に挿入した構成からなる請求項２に記載の防火扉のロック具。
【請求項４】
出入口枠の開口部を開閉する防火扉の上框と下框の少なくとも一方の戸先側端部に嵌合孔を形成し、その嵌合孔に請求項１乃至３のいずれかの項に記載のロック具におけるケースを、プレートを後側として挿入して防火扉に固定し、前記出入口枠には、前記プレートに形成されたボルト挿入孔に対向して係合孔を設けた防火扉のロック装置。
【発明の詳細な説明】
【技術分野】
【０００１】
この発明は、出入口枠の開口部を開閉する防火扉を建築物の火災による昇温時において自動的にロックするロック具およびロック装置に関するものである。
【背景技術】
【０００２】
一般に、建築物の外壁に開口部があって延焼のおそれがある場合や、建築物内に防火区画を設ける場合は耐火性を有する防火扉の取付けが義務付けられている。
【０００３】
上記防火扉は、普通、建築物の躯体に固定された出入口枠の縦枠にヒンジを介して開閉自在に設けられ、上記出入口枠の開口部を閉鎖する状態において、外部への火炎の漏れを防ぎ、延焼するのを防止するようにしている。
【発明の開示】
【発明が解決しようとする課題】
【０００４】
ところで、従来の防火扉においては、人手によってロック状態とするため、火災発生時にロック操作をし忘れることがある。この場合、温度上昇による圧力上昇によって防火扉が開放し、火炎の外部への漏れを防止することができず、防火扉としての機能を充分に発揮させることができない。
【０００５】
この発明の課題は、火災による昇温時において防火扉を自動的にロックすることができるようにした防火扉のロック具およびロック装置を提供することである。
【課題を解決するための手段】
【０００６】
上記の課題を解決するために、この発明に係る防火扉のロック具においては、防火扉の上框と下框の少なくとも一方の戸先側端部に形成される嵌合孔内に対して挿入可能とされ、その挿入方向の後端側にプレートを有し、そのプレートにボルト挿入孔が形成された角筒状のケースと、そのケース内において前記ボルト挿入孔に向けて移動自在に組込まれた棒状のデッドボルトと、そのデッドボルトをボルト挿入孔に向けて付勢する弾性部材と、前記デッドボルトの端部が挿通可能な挿通孔が形成され、その挿通孔が前記ボルト挿入孔に対して位置ずれする第１の停止位置とボルト挿入孔に一致する第２の停止位置との間で移動可能となるよう前記プレートの内面に重なる組込みとされた板状のシャッタと、そのシャッタを前記第１の停止位置に向けて付勢する第１のスプリングと、形状記憶合金からなり、周囲温度が高温になって変態点に達すると伸張して、前記シャッタを第１のスプリングの弾性に抗して第２の停止位置まで付勢する第２のスプリングとからなる構成を採用したのである。
【０００７】
また、この発明に係る防火扉のロック装置においては、出入口枠の開口部を開閉する防火扉の上框と下框の少なくとも一方の戸先側端部に嵌合孔を形成し、その嵌合孔に上記のロック具におけるケースを、プレートを後側として挿入して防火扉に固定し、前記出入口枠には、前記プレートに形成されたボルト挿入孔に対向して係合孔を設けた構成を採用したのである。
【０００８】
上記の構成からなる防火扉のロック装置において、火災の発生によって室内が昇温し、その温度が第２のスプリングを形成する形状記憶合金の変態点（変態温度）に達すると、第２のスプリングが伸張してシャッタを押圧する。その押圧によりシャッタは第１のスプリングの弾性に抗して第２の停止位置まで移動し、そのシャッタに形成された挿通孔がプレートに形成されたボルト挿入孔と一致する。
【０００９】
このとき、デッドボルトは弾性部材によりボルト挿入孔に向けて付勢されているため、上記のように挿通孔がボルト挿入孔に一致すると、上記デッドボルトは軸方向に移動して挿通孔およびボルト挿入孔に挿通し、その移動方向の先端部が出入口枠に形成された係合孔に係合して防火扉をロックする。
【００１０】
このように、火災が発生すると防火扉は自動的にロックされるため、室内の温度上昇によって圧力が上昇したとしても、防火扉は開放することはなく、延焼の発生を防止することができる。
【００１１】
ここで、防火扉のロックを解除することができない場合、逃げ遅れた人は脱出することができず、また、救出することも困難となり、大きなトラブルが発生することになる。
【００１２】
そこで、防火扉の室外側パネルおよび室内側パネルのそれぞれに形成されるボタン挿入孔に一対の開錠ボタンをスライド自在に挿入して、デッドボルトの前面および後面に対向配置し、その開錠ボタンの押し込みによる直線運動をデッドボルトがボルト挿入孔から抜け出る方向に直線移動させるカム機構を設けると、上記開錠ボタンの押し込みによりデッドボルトをボルト挿入孔から抜け出る方向に移動させることができるため、防火扉のロック解除を室内および室外のそれぞれから行うことができ、逃げ遅れによるトラブルの発生を防止し、安全性を高めることができる。
【００１３】
ここで、カム機構として、開錠ボタンと一体化されて前記デッドボルトの側面に対向配置された側板に傾斜状の長孔を形成し、前記デッドボルトの側面にピンを突設し、そのピンを長孔に挿入した構成からなるものを採用することができる。
【発明の効果】
【００１４】
上記のように、この発明においては、火災の発生時に防火扉を自動的にロックすることができるため、室内の温度上昇による圧力の上昇時に防火扉が開放するという不都合の発生はなく、延焼防止に効果を挙げることができる。
【発明を実施するための最良の形態】
【００１５】
以下、この発明の実施の形態を図面に基づいて説明する。図１に示すように、建築物の躯体に固定された出入口枠１の開口部２には一対の防火扉３ａ、３ｂが設けられている。
【００１６】
防火扉３ａ、３ｂのそれぞれは、出入口枠１の左右の縦枠１ａ、１ｂに取付けられた図示省略のヒンジによって開閉自在に支持され、室外側パネル４ａの上部に取付けられたドアチェック５によって閉鎖方向に付勢されている。
【００１７】
図１乃至図３に示すように、各防火扉３ａ、３ｂの上框４ｃおよび下框４ｄの戸先側端部には嵌合孔６が形成され、各嵌合孔６にロック具１０が組込まれている。一方、出入口枠１の上枠１ｃおよび下枠１ｄには、上記嵌合孔６と対向する位置に係合孔８を有する受け具７が取付けられている。
【００１８】
図４乃至図６および図９は、下框４ｄの嵌合孔６に組込まれたロック具１０を示す。なお、上框４ｃの嵌合孔６に組込まれたロック具１０は、下框４ｄの嵌合孔６に組込まれたロック具１０と同一の構成であって上下および前後の向きが異なるのみであるため、同一の部品には同一の符号を付して説明を省略する。
【００１９】
ロック具１０は角筒状のケース１１を有している。ケース１１は、ケース本体１２と、板状のカバー１３とからなる。ケース本体１２は、側板１２ａの両側に対向一対の端板１２ｂを折り曲げにより形成した構成とされ、各端板１２ｂの側縁には複数の連結片１２ｃが上下の間隔をおいて設けられ、その連結片１２ｃにカバー１３がねじ止めされるようになっている。
【００２０】
また、対向一対の端板１２ｂの一方の端縁には外方に向く取付片１２ｄが設けられ、その取付片１２ｄに上記ケース１１の一方の開口を閉塞するプレート１４がねじの締め付けによって取付けられている。
【００２１】
上記ケース１１は、プレート１４を後側として嵌合孔６に挿入され、下框４ｄの下面に衝合されるプレート１４の両端部が下框４ｄにねじ込まれるビス１５の締め付けにより固定される。
【００２２】
ケース１１における側板１２ａとこれに対向するカバー１３には左右で対向する一対の切り起こしガイド片１６が上下に間隔をおいて設けられ、その対向一対のガイド片１６間にデッドボルト１７がスライド自在に嵌合されている。
【００２３】
デッドボルト１７は、上記対向一対のガイド片１６によってスライド自在に支持される一対のスライドプレート１８を両側に有している。また、デッドボルト１７の下端部には一側面から他側面に貫通するようにしてピン１９が取付けられ、そのピン１９と最下位の対向一対のガイド片１６間に組込まれたスプリングからなる弾性部材２０によってデッドボルト１７はプレート１４に向けて付勢されている。
【００２４】
プレート１４には、デッドボルト１７の端部が挿通可能なボルト挿入孔２１が形成され、そのボルト挿入孔２１は受け具７に設けられた係合孔８と対向している。
【００２５】
ケース１１の内部には、プレート１４の内面と重なるようにして板状のシャッタ２２が組込まれている。シャッタ２２には挿通孔２３が形成されている。挿通孔２３はプレート１４に形成されたボルト挿入孔２１と同形状で同一大きさとされ、その挿通孔２３に対してデッドボルト１７の端部が挿通可能とされている。
【００２６】
シャッタ２２は、両端部に切り起こしの一対の突片２４を有し、各突片２４の端縁から外向きに形成されたガイド片２５の前後部が側板１２ａおよびカバー１３に形成された左右方向に長いガイド孔２６内にスライド自在に嵌合されている。
【００２７】
シャッタ２２は、ガイド孔２６の両端にガイド片２５が当接する範囲内においてスライド自在とされ、そのガイド片２５がガイド孔２６の一端に当接する第１の停止位置において、挿通孔２３はボルト挿入孔２１に対して左右方向に位置がずれ、デッドボルト１７がボルト挿入孔２１に挿通するのを防止するようになっている。
【００２８】
また、ガイド片２５がガイド孔２６の他端に当接する第２の停止位置において、挿通孔２３はボルト挿入孔２１に一致して、デッドボルト１７がボルト挿入孔２１に挿通するのを許容するようになっている。
【００２９】
シャッタ２２に形成された一対の突片２４の一方とケース１１の一方の端板１２ｂ間にはシャッタ２２を第１の停止位置に向けて付勢する第１のスプリング２７が組み込まれている。
【００３０】
また、他方の突片２４と他方の端板１２ｂ間には第２のスプリング２８が組込まれている。第２のスプリング２８は形状記憶合金からなり、雰囲気温度がその形状記憶合金の変態点（変態温度）以下の場合にはシャッタ２２に弾性力を付与することのない収縮状態に保持され、雰囲気温度が変態点に達すると伸張して、シャッタ２２を第１のスプリング２７の弾性に抗して第２の停止位置まで付勢するようになっている。
【００３１】
デッドボルト１７の前面側および後面側には一対のピン状の開錠ボタン３１、３２が設けられている。デッドボルト１７の前面側に設けられた一方の開錠ボタン３１は、図５に示すように、防火扉３ａ、３ｂの室外側パネル４ａに形成されたボタン挿入孔３３にスライド自在に嵌合されてデッドボルト１７の前面に向けて移動自在とされている。
【００３２】
また、他方の開錠ボタン３２は防火扉３ａ、３ｂの室内側パネル４ｂに形成されたボタン挿入孔３４にスライド自在に嵌合されてデッドボルト１７の後面に向けて移動自在とされている。
【００３３】
各開錠ボタン３１、３２とデッドボルト１７の相互間には、各開錠ボタン３１、３２の押し込みによる直線運動をデッドボルト１７がボルト挿入孔２１から抜け出る方向に直線運動させるカム機構４０が設けられている。
【００３４】
図８および図９に示すように、カム機構４０は、開錠ボタン３１、３２のそれぞれ端部に一対の側板４２を有する枠体４１を固定し、その枠体４１のデッドボルト１７の側面と対向する側板４２のそれぞれに傾斜状の長孔４３を形成し、各長孔４３に挿入されたピン４４をデッドボルト１７に固定して、開錠ボタン３１、３２の押し込みによる移動時にデッドボルト１７をボルト挿入孔２１から抜け出る方向に移動させるようにしている。
【００３５】
ここで、ピン４４のそれぞれは、デッドボルト１７がボルト挿入孔２１から抜け出るロック解除状態において長孔４３の上端部に位置する状態とされている。その状態において、枠体４１はケース１１内に納まり、上記デッドボルト１７がボルト挿入孔２１に向けて移動する移動時にデッドボルト１７から離反する方向に移動して、ケース１１の外部に飛び出すようになっている。その枠体４１の飛び出しを可能とするため、ケース１１の側板１２ａおよびカバー１３のそれぞれに窓４５が形成されている。
【００３６】
実施の形態で示す防火扉のロック装置は上記の構造からなり、図１および図２は、防火扉３ａ、３ｂの閉鎖状態を示す。また、図４および図５は、防火扉３ａ、３ｂの閉鎖状態において、シャッタ２２が第１の停止位置に保持されている状態を示し、デッドボルト１７はそのシャッタ２２で端面が受けられてロック解除位置に保持されている。このため、防火扉３ａ、３ｂは自由に開放し得る状態にある。
【００３７】
防火扉３ａ、３ｂの閉鎖状態において、万一、室内で火災が発生して室内温度が上昇し、防火扉３ａ、３ｂ付近での雰囲気温度が第２のスプリング２８を形成する形状記憶合金の変態点に達すると、第２のスプリング２８が伸張してシャッタ２２を押圧する。その押圧により、シャッタ２２は第１のスプリング２７の弾性に抗して第２の停止位置に向けて移動する。
【００３８】
図７および図８は、上記シャッタ２２が第２の停止位置まで移動して停止した状態を示す。このとき、シャッタ２２に形成された挿通孔２３がプレート１４に形成されたボルト挿入孔２１に一致するため、デッドボルト１７は弾性部材２０の押圧により長さ方向に移動し、その端部が挿通孔２３およびボルト挿入孔２１から突出して、同図で示すように、受け具７の係合孔８に係合する。その係合によって防火扉３ａ、３ｂはロック状態とされる。
【００３９】
このように、火災の発生時、防火扉３ａ、３ｂは自動的にロックされるため、室内の温度上昇による圧力の上昇時に防火扉が開放するという不都合の発生はなく、延焼防止に効果を挙げることができる。
【００４０】
ここで、デッドボルト１７がロック解除位置から係合孔８に端部が係合するロック位置まで移動すると、ピン４４は長孔４３に沿って下端部まで移動するため、開錠ボタン３１、３２のそれぞれはデッドボルト１７から離反する方向に移動し、図８に示すように、ボタン挿入孔３３、３４から外部に突出する状態とされる。
【００４１】
火災が発生し、防火扉３ａ、３ｂがロックされた状態で室内から万一逃げ遅れた場合は、図８の開錠ボタン３１、３２を押し込むようにする。その開錠ボタン３１、３２を押し込むと、ピン４４が長孔４３に沿って引き上げられるため、デッドボルト１７が受け具７から離反する方向に移動し、端部が係合孔８から抜け出して係合解除状態とされる。
【００４２】
このように、開錠ボタン３１、３２を押し込むと、デッドボルト１７の端部が係合孔８から抜け出し、防火扉３ａ、３ｂはロック解除状態とされて、自由に開放し得る状態となるため、室内から脱出することができる。
【００４３】
なお、室内からの脱出後に、防火扉３ａ、３ｂを閉鎖すると、弾性部材２０の押圧により、デッドボルト１７はロック位置まで移動して、係合孔８に係合し、防火扉３ａ、３ｂはロック状態とされる。
【００４４】
実施の形態においては、防火扉３ａ、３ｂの上框４ｃと下框４ｄのそれぞれに嵌合孔６を形成し、各嵌合孔６のロック具１０を組込むようにしたが、上框４ｃの嵌合孔６または下框４ｄの嵌合孔６にのみロック具１０を組込むようにしてもよい。
【図面の簡単な説明】
【００４５】
【図１】この発明に係る防火扉のロック装置の実施の形態を示す正面図
【図２】図１のロック具の取付け位置部を拡大して示す縦断正面図
【図３】図２のIII−III線に沿った断面図
【図４】図３のIV−IV線に沿った断面図
【図５】図４のV−V線に沿った断面図
【図６】図４のVI−VI線に沿った断面図
【図７】ロック具によって防火扉をロックした状態を示す縦断正面図
【図８】図７のVIII−VIII線に沿った断面図
【図９】ロック具の分解斜視図
【符号の説明】
【００４６】
１    出入口枠
２    開口部
３ａ  防火扉
３ｂ  防火扉
４ａ  室外側パネル
４ｂ  室内側パネル
４ｃ  上框
４ｄ  下框
６    嵌合孔
８    係合孔
１０  ロック具
１１  ケース
１４  プレート
１７  デッドボルト
２０  弾性部材
２１  ボルト挿入孔
２２  シャッタ
２３  挿通孔
２７  第１のスプリング
２８  第２のスプリング
３１  開錠ボタン
３２  開錠ボタン
３３  ボタン挿入孔
３４  ボタン挿入孔
４０  カム機構
４２  側板
４３  長孔
４４  ピン
【図１】
2010007309.tif 000003
【図２】
2010007309.tif 000004
【図３】
2010007309.tif 000005
【図４】
2010007309.tif 000006
【図５】
2010007309.tif 000007
【図６】
2010007309.tif 000008
【図７】
2010007309.tif 000009
【図８】
2010007309.tif 000010
【図９】
2010007309.tif 000011